(57)【特許請求の範囲】
【請求項１】
建物の構造体に設けられた昇降装置本体と、照明器具等を備えた昇降体と、前記昇降装置本体と前記昇降体とを連結するワイヤロープと、を備え、前記昇降装置本体が前記ワイヤロープを巻き取るための巻取りドラムを備えることにより前記昇降体を上昇又は下降させる照明器具等の昇降装置において、
収納位置まで上昇させられた前記昇降体の落下を防止するためのロック機構を備え、
前記ロック機構は、前記巻取りドラムに連結されることで前記巻取りドラムの回転に連動して作動する係止手段と、前記昇降体に設けられて前記係止手段と係合可能な被係止部と、を含んで構成され、
前記係止手段は、前記巻取りドラムが前記昇降体を上昇させる方向に回転したことに連動して、前記被係止部と係合可能な第１の位置へと移動するとともに、前記巻取りドラムが前記昇降体を下降させる方向に回転したことに連動して、前記被係止部との係合が解除される第２の位置へと移動し、
前記第１の位置へと移動した前記係止手段は、上昇してきた前記昇降体の前記被係止部に接触したときに前記第２の位置の方向へと退避することを特徴とする、照明器具等の昇降装置。
【請求項２】
前記ロック機構は、前記巻取りドラムと連動して回転する回転板と、前記回転板の回転を所定の範囲に制限する制限手段と、前記回転板と前記係止手段とを連結する連結手段と、を更に備え、
前記回転板が回転したときに、前記連結手段を介して前記係止手段が作動することを特徴とする、請求項１記載の照明器具等の昇降装置。
【請求項３】
前記ロック機構は、前記巻取りドラムと連動して回転する第１のギアと、前記第１のギアと噛合する第２のギアと、前記第２のギアと噛合する歯面を有するギアプレートと、前記第２のギアと前記係止手段とを連結する連結手段と、を更に備え、
前記第２のギアは、前記第１のギアが回転したときに前記ギアプレート上を移動し、前記ギアプレートの一端部から他端部まで移動可能なものであって、
前記第２のギアが前記ギアプレート上を移動したときに、前記連結手段を介して前記係止手段が作動することを特徴とする、請求項１記載の照明器具等の昇降装置。
【請求項４】
前記第１の位置へと移動した前記係止手段は、自重により前記第１の位置で待機するとともに、上昇してきた前記昇降体と接触することにより前記第２の位置の方向へと退避可能であることを特徴とする、請求項２又は３に記載の照明器具等の昇降装置。
【請求項５】
前記第１の位置へと移動した前記係止手段は、弾性部材で付勢されることにより前記第１の位置で待機するとともに、上昇してきた前記昇降体と接触することにより前記第２の位置の方向へと退避可能であることを特徴とする、請求項２又は３に記載の照明器具等の昇降装置。
【発明の詳細な説明】
【技術分野】
【０００１】
この発明は、建物の構造体に設けられた昇降装置本体と、照明器具等を備えた昇降体と、前記昇降装置本体と前記昇降体とを連結するワイヤロープと、を備え、前記昇降装置本体が前記ワイヤロープを巻き取るための巻取りドラムを備えることにより前記昇降体を上昇又は下降させる照明器具等の昇降装置に関し、特に、収納位置まで上昇させられた前記昇降体の落下を防止するためのロック機構を備えた照明器具等の昇降装置に関するものである。
【背景技術】
【０００２】
従来、体育館や駅のコンコースなど高天井の場所においては、整備等の便を考慮して昇降式の照明器具が使用されることがある。このような昇降式の照明器具においては、建物の構造体に設けられた昇降装置本体の巻取りドラムがワイヤロープを巻取り又は巻き戻しすることにより、ワイヤロープを介して照明器具等を備えた昇降体を上昇又は下降させるようになっている。
【０００３】
ところで、このような昇降式の照明器具においては、巻き取りが正常に行われないなどの理由からワイヤロープがロックしてしまい、ワイヤロープが切断し、昇降体が落下してしまう可能性がある。ワイヤロープの巻き取り作業中であれば、異常に気付きやすく、また、仮にワイヤロープが切断して照明器具等が落下したとしても被害は最小限で済む。しかしながら、照明器具等が天井部に収納されて使用されている状態で照明器具等が落下すると、一般の建物利用者の上に照明器具等が落下する可能性があり、非常に危険である。
【０００４】
このため、特許文献１に記載の考案においては、昇降体の上部中央にロック棒を突出させて設け、このロック棒を、天井に取付けられた昇降装置本体の下部に設けたスイッチボックスの底部に設けた貫通孔に突入させて、昇降体の落下を防止するロック機構を備えた照明器具等の昇降装置が開示されている。
【先行技術文献】
【特許文献】
【０００５】
【特許文献１】実公平７−４３８５８号公報
【発明の概要】
【発明が解決しようとする課題】
【０００６】
しかし、上記した特許文献１の照明器具等の昇降装置では、ロック棒にスリーブを設けて、このスリーブでストッパを押し広げるように構成し、ロック棒の頭部が嵌合する凹部を有するスライダを設け、これによりリミットスイッチを作動させるようにしているため、ロック機構を構成する部品点数が多く、構造が複雑なものとなっていた。また、組み立てが大変であり、製造コストが高くなるといった不都合があった。
【０００７】
そこで、本発明は、昇降装置本体に収納された昇降体の落下を確実に防止でき、かつ、従来と比較して構造が簡単、かつ、低コストで製造可能な照明器具等の昇降装置を提供することを課題とする。
【課題を解決するための手段】
【０００８】
本発明は、上記した課題を解決するためになされたものであり、以下を特徴とする。
【０００９】
（請求項１）
請求項１に記載の発明は、以下の点を特徴とする。
【００１０】
すなわち、請求項１に記載の照明器具等の昇降装置は、建物の構造体に設けられた昇降装置本体と、照明器具等を備えた昇降体と、前記昇降装置本体と前記昇降体とを連結するワイヤロープと、を備え、前記昇降装置本体が前記ワイヤロープを巻き取るための巻取りドラムを備えることにより前記昇降体を上昇又は下降させる照明器具等の昇降装置において、収納位置まで上昇させられた前記昇降体の落下を防止するためのロック機構を備え、前記ロック機構は、前記巻取りドラムに連結されることで前記巻取りドラムの回転に連動して作動する係止手段と、前記昇降体に設けられて前記係止手段と係合可能な被係止部と、を含んで構成され、前記係止手段は、前記巻取りドラムが前記昇降体を上昇させる方向に回転したことに連動して、前記被係止部と係合可能な第１の位置へと移動するとともに、前記巻取りドラムが前記昇降体を下降させる方向に回転したことに連動して、前記被係止部との係合が解除される第２の位置へと移動し、前記第１の位置へと移動した前記係止手段は、上昇してきた前記昇降体の前記被係止部に接触したときに前記第２の位置の方向へと退避することを特徴とする。
【００１１】
（請求項２）
請求項２に記載の発明は、上記した請求項１記載の発明の特徴点に加え、以下の点を特徴とする。
【００１２】
すなわち、前記ロック機構は、前記巻取りドラムと連動して回転する回転板と、前記回転板の回転を所定の範囲に制限する制限手段と、前記回転板と前記係止手段とを連結する連結手段と、を更に備え、前記回転板が回転したときに、前記連結手段を介して前記係止手段が作動することを特徴とする。
【００１３】
（請求項３）
請求項３に記載の発明は、上記した請求項１記載の発明の特徴点に加え、以下の点を特徴とする。
【００１４】
すなわち、前記ロック機構は、前記巻取りドラムと連動して回転する第１のギアと、前記第１のギアと噛合する第２のギアと、前記第２のギアと噛合する歯面を有するギアプレートと、前記第２のギアと前記係止手段とを連結する連結手段と、を更に備え、前記第２のギアは、前記第１のギアが回転したときに前記ギアプレート上を移動し、前記ギアプレートの一端部から他端部まで移動可能なものであって、前記第２のギアが前記ギアプレート上を移動したときに、前記連結手段を介して前記係止手段が作動することを特徴とする。
【００１５】
（請求項４）
請求項４に記載の発明は、上記した請求項２又は３に記載の発明の特徴点に加え、以下の点を特徴とする。
【００１６】
すなわち、前記第１の位置へと移動した前記係止手段は、自重により前記第１の位置で待機するとともに、上昇してきた前記昇降体と接触することにより前記第２の位置の方向へと退避可能であることを特徴とする。
【００１７】
（請求項５）
請求項５に記載の発明は、上記した請求項２又は３に記載の発明の特徴点に加え、以下の点を特徴とする。
【００１８】
すなわち、前記第１の位置へと移動した前記係止手段は、弾性部材で付勢されることにより前記第１の位置で待機するとともに、上昇してきた前記昇降体と接触することにより前記第２の位置の方向へと退避可能であることを特徴とする。
【発明の効果】
【００１９】
本発明は上記の通りであり、ロック機構は、巻取りドラムの回転に連動して作動する係止手段と、昇降体に設けられて係止手段と係合可能な被係止部と、を含んで構成されており、係止手段は、巻取りドラムが前記昇降体を上昇させる方向に回転したことに連動して、被係止部と係合可能な第１の位置へと移動するとともに、巻取りドラムが昇降体を下降させる方向に回転したことに連動して、被係止部との係合が解除される第２の位置へと移動するようにした。このため、従来のように複雑な機構によらず、確実に昇降体の落下を防止でき、また、構造が簡単なため、低コストで製造可能なものとなっている。
【図面の簡単な説明】
【００２０】
【図１】本発明の第１の実施形態であって、昇降装置の側面図である。
【図２】本発明の第１の実施形態であって、昇降装置本体の平面図である。
【図３】本発明の第１の実施形態であって、昇降体が上昇する様子を示す説明図である。
【図４】本発明の第１の実施形態であって、昇降体が下降する様子を示す説明図である。
【図５】本発明の第２の実施形態であって、昇降装置の側面図である。
【図６】本発明の第２の実施形態であって、昇降装置本体の平面図である。
【図７】本発明の第２の実施形態であって、昇降体が上昇する様子を示す説明図である。
【図８】本発明の第２の実施形態であって、昇降体が下降する様子を示す説明図である。
【発明を実施するための形態】
【００２１】
（第１の実施形態）
本発明の第１の実施形態について、図１〜４を参照しながら説明する。
【００２２】
図１に示すように、本実施形態に係る照明器具等の昇降装置は、大まかに言って、建物の構造体に設けられた昇降装置本体１０と、照明器具等（図示せず）を備えた昇降体２０と、前記昇降装置本体１０と前記昇降体２０とを連結するワイヤロープ３０と、からなっている。
【００２３】
まず、昇降装置本体１０は、図１に示すように、ワイヤロープ３０を巻き取るための巻取りドラム１２を備えている。この巻取りドラム１２は、駆動モータ１１を動力源として回転するものであり、ワイヤロープ３０を巻き取ることにより昇降体２０を上昇させるとともに、ワイヤロープ３０を巻き戻すことにより昇降体２０を下降させるものである。すなわち、図１に示すように、昇降体２０に固定されたローラ２１が動滑車として機能するため、巻取りドラム１２が昇降装置本体１０に一端を固定されたワイヤロープ３０の他端側を巻き取ると、昇降体２０が上昇するようになっており、また、巻取りドラム１２がワイヤロープ３０の他端側を巻き戻すと、昇降体２０が下降するようになっている。
【００２４】
このため、照明器具等が故障したときや、掃除する必要があるときは、リモートコントローラ（図示せず）を操作して駆動モータ１１を作動させ、巻取りドラム１２でワイヤロープ３０を巻き戻すことにより、昇降体２０を下降させて作業することができるようになっている。そして、作業が終わったら、昇降体２０を昇降装置本体１０内の収納位置（図３（３）の位置）まで上昇させて、通常の照明位置に戻して使用できるようになっている。
【００２５】
ところで、本実施形態に係る照明器具等の昇降装置は、収納位置まで上昇させられた昇降体２０の落下を防止するためのロック機構を備えており、このロック機構は、巻取りドラム１２の回転に連動して作動するロックレバー１３と、昇降体２０に設けられてロックレバー１３と係合可能な被係止部２３と、を含んで構成されている。
【００２６】
ロックレバー１３は、図１に示すように、略逆Ｔ字の金属製の板状部材であり、上端側を揺動軸１６に軸支されることにより、下端側の揺動部１４が揺動可能となっているものである。そして、この揺動部１４には、昇降体２０をロックするための爪状の係止部１５が形成されている。また、このロックレバー１３の揺動部１４は、ワイヤロッド４４を介して後述する回転板４０と連結されている。ロックレバー１３は、このように回転板４０と連結されていることにより、回転板４０が回転したときにロック方向又はロック解除方向に移動するように形成されている。
【００２７】
ところで、このロックレバー１３と連結された回転板４０は、図２に示すように、巻取りドラム１２の一側面に、巻取りドラム１２と同一軸心上となるように設けられるものである。この回転板４０と巻取りドラム１２との間には、図２に示すように、スプリング４１が設けられており、これにより、回転板４０の側面と巻取りドラム１２の側面との間に押し付ける力が発生するようになっている。このため、巻取りドラム１２が回転すると、回転板４０との間に摩擦力を発生させながら回転することとなるから、回転板４０は、この巻取りドラム１２の回転と連動して、同じ方向に回転するように付勢されることとなる。
【００２８】
なお、この回転板４０には、巻取りドラム１２側とは逆側面の周縁付近に、棒状突起４２が突出形成されている。そして、この棒状突起４２には、前述したワイヤロッド４４が接続されているため、回転板４０が回転したときに、ワイヤロッド４４が引っ張られたり、緩んだりして、ワイヤロッド４４を介してロックレバー１３が作動するように形成されている。
【００２９】
ところで、この回転板４０は、巻取りドラム１２の回転と連動して３６０度回転するものではなく、その回転範囲が所定の範囲に制限されている。すなわち、図３及び図４に示すように、回転板４０がある位置まで回転したときに棒状突起４２が当接するストッパー４３が左右に設けられており、この２つのストッパー４３に挟まれた範囲内でしか回転板４０が回転できないように形成されている。すなわち、棒状突起４２がストッパー４３に当接すると、回転板４０はそれ以上回転できないように形成されている。この場合、スプリング４１により生じた摩擦力にもかかわらず、回転板４０は回転せず、巻取りドラム１２だけが回転することとなる。
【００３０】
次に、図３を参照しつつ、本実施形態に係る昇降体２０が上昇する様子について説明する。
【００３１】
ここで、昇降体２０を上昇させる場合には、巻取りドラム１２はワイヤロープ３０を巻取る方向に回転するため、図３（１）に示すように、巻取りドラム１２に連動して回転板４０も同じ方向に回転する。しかしながら、前述したように、回転板４０の回転はストッパー４３により制限されており、すなわち、棒状突起４２がストッパー４３に当接した状態で回転板４０の回転が停止することになる。
【００３２】
このとき、図３（１）に示すように、ワイヤロッド４４が弛んだ状態となり、ロックレバー１３が自由状態となる。自由状態となったロックレバー１３は、自重により鉛直下方に垂れ下がった状態となる（第１の位置）。
【００３３】
図３（１）の状態から更に昇降体２０が上昇すると、図３（２）に示すように、昇降体２０の上部に設けられた被係止部２３の上端が、ロックレバー１３の係止部１５の下端に接触する。これにより、被係止部２３と接触する係止部１５の下端面は、揺動方向に斜めとなっているため、昇降体２０が上昇するにつれて係止部１５は押し込まれて揺動し、被係止部２３との係合が解除される方向（後述する第２の位置の方向）へと退避するようになっている。そして、係止部１５が退避することにより、被係止部２３が係止部１５の上へと通過できるようになっている。
【００３４】
そして、図３（２）の状態から更に昇降体２０が上昇し、被係止部２３が係止部１５の上へと通過すると、図３（３）に示すように、ロックレバー１３は、自重により、前述した第１の位置へと戻る。このとき、図３（３）に示すように、被係止部２３の下方には切欠き２４が形成されており、この切欠き２４に係止部１５が差し込まれるようになっている。このため、係止部１５の鉛直上方に被係止部２３が位置することとなるから、仮にワイヤロープ３０が切れて、昇降体２０が落下しそうになっても、係止部１５が被係止部２３に係合して昇降体２０の落下を防ぐことができるように形成されている。
【００３５】
なお、昇降体２０が収納位置まで上昇したときには、図３（３）に示すように、昇降体２０のスイッチ押圧部２５が昇降装置本体１０に設けられたリミットスイッチ１７に当接するようになっている。スイッチ押圧部２５がリミットスイッチ１７に当接して、リミットスイッチ１７がＯＮとなると、昇降体２０が収納位置まで上昇したことを検知できるため、図示しない制御装置が駆動モータ１１を停止させて昇降動作を停止するようになっている。
【００３６】
次に、図４を参照しつつ、本実施形態に係る昇降体２０が下降する様子について説明する。
【００３７】
ここで、昇降体２０を下降させる場合には、巻取りドラム１２はワイヤロープ３０を巻戻す方向に回転するため、図４（１）に示すように、巻取りドラム１２に連動して回転板４０も同じ方向に回転する。しかしながら、前述したように、回転板４０の回転はストッパー４３により制限されており、すなわち、棒状突起４２がストッパー４３に当接した状態で回転板４０の回転が停止することになる。なお、昇降体２０を下降させるときに棒状突起４２が当接するストッパー４３は、昇降体２０を上昇させるときに当接したストッパー４３とは逆側に設けられたストッパー４３である。
【００３８】
このとき、図４（１）に示すように、ワイヤロッド４４がロックレバー１３の揺動部１４を引き上げ、昇降体２０の被係止部２３との係合が解除される位置（第２の位置）にまで揺動させる。
【００３９】
このため、図４（２）に示すように、下降する昇降体２０の被係止部２３が係止部１５に係合することなく、昇降体２０が下降できるようになっている。
【００４０】
以上のように、本実施形態によれば、簡易なロック機構で確実に昇降体２０の落下を防止できるため、取り付け容易かつ低コストな照明器具等の昇降装置を提供できる。
【００４１】
なお、本実施形態においては、昇降体２０の上昇中において、ロックレバー１３が自重により第１の位置で待機することとしたが、これに限らない。すなわち、スプリングなどの弾性部材で付勢されることにより第１の位置で待機するように形成しても良い。
【００４２】
（第２の実施形態）
本発明の第２の実施形態について、図５〜８を参照しながら説明する。本第２の実施例の特徴点は、第１の実施形態の回転板４０によるロックレバー１３の作動に代えて、ギア及びリンク機構を用いた点にある。
【００４３】
ここで、第２の実施形態における照明器具等の昇降装置の基本的構成は上記した第１の実施形態と同様であるので、同一となる説明を省略し、本実施形態の特徴点のみ述べることとする。すなわち、本実施形態に係る照明器具等の昇降装置は、第１の実施形態とは異なるロック機構を備えているため、この点のみ説明することとする。
【００４４】
ここで、本実施形態に係るロック機構も、巻取りドラム１２の回転に連動して作動するロックレバー１３と、昇降体２０に設けられてロックレバー１３と係合可能な被係止部２３と、を含んで構成されているものの、ロックレバー１３の揺動部１４は、後述するように、リンク部材５４でアイドルギア５１と連結されている。ロックレバー１３はアイドルギア５１と連結されることにより、アイドルギア５１が回転したときに、リンク部材５４を介してロック方向又はロック解除方向に移動するように形成されている。
【００４５】
ロックレバー１３と連結されたアイドルギア５１は、図５に示すように、巻取りドラム１２の駆動ギア５０と噛み合うように設けられている。このため、巻取りドラム１２が回転して駆動ギア５０が回転すると、この巻取りドラム１２及び駆動ギア５０の回転と連動してアイドルギア５１も回転するように形成されている。
【００４６】
そして、このアイドルギア５１の下方には、図５に示すように、アイドルギア５１と噛合する歯面を有するギアプレート５２が所定幅で設けられている。このため、アイドルギア５１に回転力を加えると、アイドルギア５１はギアプレート５２上を移動するようになっている。このように、アイドルギア５１は、回転することによりギアプレート５２の一方の端部から他方の端部までの間を移動するものである。そして、ギアプレート５２の端部まで移動したアイドルギア５１は、それ以上同じ方向に回転してもギアプレート５２と噛み合うことができないため、この場合には、その位置で空回りするように形成されている。
【００４７】
そして、アイドルギア５１には、図５に示すように、前述したリンク部材５４が接続されているため、アイドルギア５１が回転してギアプレート５２上を移動したときに、リンク部材５４を押引して、リンク部材５４の他端側に接続されたロックレバー１３を移動させるように形成されている。
【００４８】
ここで、図７（１）に示すように、リンク部材５４のロックレバー１３側の端には、摺動軸５５が設けられており、この摺動軸５５がリンク部材５４の揺動部１４に設けられた長孔２６を摺動可能に貫通することにより、リンク部材５４とロックレバー１３とが結合されている。そして、図６に示すように、ロックレバー１３の揺動部１４は、摺動軸５５と連結されたスプリング５６によって、昇降体２０の被係止部２３と係合可能な第１の位置の方向へと付勢されている。この点は後ほど詳述する。
【００４９】
次に、図７を参照しつつ、本実施形態に係る昇降体２０が上昇する様子について説明する。
【００５０】
ここで、昇降体２０を上昇させるために巻取りドラム１２が回転すると、図７（１）に示すように、巻取りドラム１２に連動して駆動ギア５０及びアイドルギア５１も回転する。そして、アイドルギア５１は、回転することによりギアプレート５２上を移動し、ギアプレート５２のロックレバー１３側の端部まで移動すると、この端部で空回りしながら留まることとなる。
【００５１】
アイドルギア５１がギアプレート５２のロックレバー１３側の端部まで移動すると、図７（１）に示すように、リンク部材５４がロックレバー１３の揺動部１４を押し込む。このとき、ロックレバー１３の揺動部１４は、スプリング５６によって付勢されているため、昇降体２０の被係止部２３の側に最も寄った位置で待機することとなり、すなわち、ロックレバー１３は、昇降体２０の被係止部２３と係合可能な第１の位置で待機することとなる。
【００５２】
図７（１）の状態から更に昇降体２０が上昇すると、図７（２）に示すように、昇降体２０の上部に設けられた被係止部２３の上端が、ロックレバー１３の係止部１５の下端に接触する。これにより、被係止部２３と接触する係止部１５の下端面は、揺動方向に斜めとなっているため、昇降体２０が上昇するにつれて係止部１５は押し込まれて揺動し、被係止部２３との係合が解除される方向（後述する第２の位置の方向）へと退避するようになっている。そして、係止部１５が退避することにより、被係止部２３が係止部１５の上へと通過できるようになっている。
【００５３】
そして、図７（２）の状態から更に昇降体２０が上昇し、被係止部２３が係止部１５の上へと通過すると、図７（３）に示すように、ロックレバー１３は、スプリング５６により付勢されて、前述した第１の位置へと戻る。このとき、図７（３）に示すように、被係止部２３の下方には切欠き２４が形成されており、この切欠き２４に係止部１５が差し込まれるようになっている。このため、係止部１５の鉛直上方に被係止部２３が位置することとなる。このため、仮にワイヤロープ３０が切れて、昇降体２０が落下しそうになっても、係止部１５が被係止部２３に係合して昇降体２０の落下を防ぐことができるように形成されている。
【００５４】
なお、昇降体２０が収納位置まで上昇したときには、図７（３）に示すように、昇降体２０に設けられたスイッチ押圧部２５がリミットスイッチ１７に当接する点は、前述した第１の実施形態と同様である。
【００５５】
次に、図８を参照しつつ、本実施形態に係る昇降体２０が下降する様子について説明する。
【００５６】
ここで、昇降体２０を下降させるために巻取りドラム１２が回転すると、図８（１）に示すように、巻取りドラム１２に連動して駆動ギア５０及びアイドルギア５１も回転する。そして、アイドルギア５１は、回転することによりギアプレート５２上を移動し、ギアプレート５２のロックレバー１３とは反対側の端部で空回りしながら留まることとなる。
【００５７】
このとき、図８（１）に示すように、リンク部材５４がロックレバー１３の揺動部１４を引き上げ、昇降体２０の被係止部２３との係合が解除される位置（第２の位置）にまで揺動させる。
【００５８】
このため、図８（２）に示すように、下降する昇降体２０の被係止部２３が係止部１５に係合することなく、昇降体２０が下降できるようになっている。
【００５９】
以上のように、本実施形態によっても、簡易なロック機構で確実に昇降体２０の落下を防止できるため、取り付け容易かつ低コストな照明器具等の昇降装置を提供できる。
【００６０】
なお、本実施形態においては、昇降体２０の上昇中において、ロックレバー１３がスプリング５６に付勢されて第１の位置で待機することとしたが、これに限らない。すなわち、ロックレバー１３の自重により第１の位置で待機するように形成しても良い。
【符号の説明】
【００６１】
１０  昇降装置本体
１１  駆動モータ
１２  巻取りドラム
１３  ロックレバー（係止手段）
１４  揺動部
１５  係止部
１６  揺動軸
１７  リミットスイッチ
２０  昇降体
２１  ローラ
２３  被係止部
２４  切欠き
２５  スイッチ押圧部
２６  長孔
３０  ワイヤロープ
４０  回転板
４１  スプリング
４２  棒状突起
４３  ストッパー（制限手段）
４４  ワイヤロッド（連結手段）
５０  駆動ギア（第１のギア）
５１  アイドルギア（第２のギア）
５２  ギアプレート
５３  連結板
５４  リンク部材（連結手段）
５５  摺動軸
５６  スプリング（弾性部材）
【図１】
0005554618.tif 000002
【図２】
0005554618.tif 000003
【図３】
0005554618.tif 000004
【図４】
0005554618.tif 000005
【図５】
0005554618.tif 000006
【図６】
0005554618.tif 000007
【図７】
0005554618.tif 000008
【図８】
0005554618.tif 000009